(57)【特許請求の範囲】
【請求項１】
液透過性の表面シートと液不透過性の裏面シートと両シート間に介在された液保持性の吸収体とを具備する使い捨ておむつにおいて、
上記吸収体の左右両側縁側における上記表面シート上に、それぞれ、第１立体ガードと該第１立体ガードよりも外方に位置する第２立体ガードとが配されており、
上記第１立体ガードと第２立体ガードとは、それぞれ、細帯状で、使い捨ておむつの長手方向に沿って配され、吸収体の左右両側縁部上に位置する所定幅を有する接合部を介して連設され、且つ、それらの自由縁に弾性部材が配されて上方に向けて起立するようになされており、
上記第１立体ガード及び上記第２立体ガードは、それぞれ、おむつのレッグ部側の側縁から上記吸収体の側縁を覆うように配された１枚の不織布を、おむつの上方に折り返して上記第１立体ガードの折り返し点を形成し、更にこの第１立体ガードの折り返し点から所定の長さの部位で折り返して上記第２立体ガードの折り返し点を形成することにより構成されており、
上記第１立体ガードと上記第２立体ガードとの間における上記吸収体上に位置する２枚の重なり合った上記不織布を、上記表面シートに固着させて、上記接合部が形成されており、
上記接合部は、液体透過性となされており、
上記第１立体ガードの高さは、１０〜５０ｍｍであり、
上記第２立体ガードは、その高さが上記第１立体ガードの高さよりも高い
ことを特徴とする使い捨ておむつ。
【請求項２】
上記第１立体ガードと上記第２立体ガードとは、何れも撥水性であることを特徴とする請求項１記載の使い捨ておむつ。
【請求項３】
上記接合部は、液透過用の孔部を多数有することを特徴とする請求項１又は２記載の使い捨ておむつ。
【発明の詳細な説明】
【０００１】
【発明の属する技術分野】
本発明は、極めてもれ防止性に優れた使い捨ておむつに関する。
【０００２】
【従来の技術及び発明が解決しようとする課題】
従来より、液透過性の表面シートと液不透過性の裏面シートと両シート間に介在された液保持性の吸収体とを具備する使い捨ておむつは、広く用いられている。
そして、従来の使い捨ておむつにおいては、股下部の側部からのもれを防止するために、上記吸収体の左右両側縁における上記表面シート上に、細帯状のシート材により形成された単一の立体ガードが配されている。
しかし、従来の立体ガードが配された使い捨ておむつでも、未だ漏れ防止性は十分ではなく、より漏れ防止性に優れた使い捨ておむつの開発が要望されているのが現状である。
【０００３】
従って、本発明の目的は、従来の使い捨ておむつよりも更に漏れ防止性が向上された使い捨ておむつを提供することにある。
【０００４】
【課題を解決するための手段】
本発明者らは、上記課題を解決すべく鋭意検討した結果、吸収体の左右両側縁部上に、それぞれ第１立体ガードと第２立体ガードとを設け、該第１立体ガードが特定の高さを有し、外側に位置する第２立体ガードの方の高さを高くしてなる使い捨ておむつが、上記目的を達成しうることを知見した。
【０００５】
本発明は、上記知見に基づいてなされたもので、液透過性の表面シートと液不透過性の裏面シートと両シート間に介在された液保持性の吸収体とを具備する使い捨ておむつにおいて、
上記吸収体の左右両側縁側における上記表面シート上に、それぞれ、第１立体ガードと該第１立体ガードよりも外方に位置する第２立体ガードとが配されており、
上記第１立体ガードと第２立体ガードとは、それぞれ、細帯状で、使い捨ておむつの長手方向に沿って配され、吸収体の左右両側縁部上に位置する所定幅を有する接合部を介して連設され、且つ、それらの自由縁に弾性部材が配されて上方に向けて起立するようになされており、
上記第１立体ガード及び上記第２立体ガードは、それぞれ、おむつのレッグ部側の側縁から上記吸収体の側縁を覆うように配された１枚の不織布を、おむつの上方に折り返して上記第１立体ガードの折り返し点を形成し、更にこの第１立体ガードの折り返し点から所定の長さの部位で折り返して上記第２立体ガードの折り返し点を形成することにより構成されており、
上記第１立体ガードと上記第２立体ガードとの間における上記吸収体上に位置する２枚の重なり合った上記不織布を、上記表面シートに固着させて、上記接合部が形成されており、
上記接合部は、液体透過性となされており、
上記第１立体ガードの高さは、１０〜５０ｍｍであり、
上記第２立体ガードは、その高さが上記第１立体ガードの高さよりも高い
ことを特徴とする使い捨ておむつを提供するものである。
【０００６】
また、本発明は、上記第１立体ガードと上記第２立体ガードとは、何れも撥水性である使い捨ておむつを提供するものである。
また、本発明は、上記接合部は、液体透過性となされている使い捨ておむつ及び上記接合部は、液透過用の孔部を多数有する使い捨ておむつを提供するものである。
また、本発明は、左右の上記第１立体ガードと上記第２立体ガードとは、それぞれ、１枚の不織布から形成されている使い捨ておむつを提供するものである。
【０００７】
【発明の実施の形態】
以下、本発明について、図面を参照して更に詳述する。
ここで、図１は、本発明の使い捨ておむつの１形態を示す斜視図であり、図２は、図１に示す使い捨ておむつのII-II 断面図であり、図３は、図１に示す使い捨ておむつのIII 部拡大図である。
【０００８】
図１及び２に示す本形態の使い捨ておむつ１は、液透過性の表面シート２と液不透過性の裏面シート３と両シート２，３間に介在された液保持性の吸収体４とを具備する使い捨ておむつである。
上記使い捨ておむつ１において、上記裏面シート３は、溢れた砂時計状であり、また、上記吸収体４は、該裏面シート３よりも小さく、長方形状となされている。上記表面シート２は、該吸収体の表面及び側面を覆うように配されている。また、使い捨ておむつ１におけるウエスト部５とレッグ部６とには、それぞれ弾性部材５１，６１が配されて、それぞれウエストギャザーとレッグギャザーとを形成している。
また、使い捨ておむつ１の背側部Ｂの左右両側縁部には、それぞれファスニングテープ８が配されている。即ち、本形態の使い捨ておむつは、展開型の使い捨ておむつである
また、上記表面シート２、上記裏面シート３、上記吸収体４、上記弾性部材５１，６１及び上記ファスニングテープ８の形成材料としては、通常の使い捨ておむつに用いられているものを特に制限なく用いることができる。
このような構造は、通常の使い捨ておむつと同じである。
【０００９】
而して、本形態の使い捨ておむつ１においては、上記吸収体４の左右両側縁側における上記表面シート２上に、それぞれ、第１立体ガード７ａと該第１立体ガード７ａよりも外方に位置する第２立体ガード７ｂとが配されており、上記第１立体ガード７ａと上記第２立体ガード７ｂとは、それぞれ、細帯状で、使い捨ておむつ１の長手方向に沿って配され、吸収体４の左右両側縁部上に位置する所定幅を有する接合部７０を介して連設され、且つ、それらの自由縁に弾性部材７２，７３が配されて上方に向けて起立するようになされており、上記第１立体ガード７ａの高さＴ1 は、１０〜５０mm、好ましくは１５〜２５mmであり、上記第２立体ガード７ｂは、その高さＴ2 が上記第１立体ガード７ａの高さＴ1 よりも高い。
また、ここで、上記の「表面シート上」とは、表面シートの上方の意であり、必ずしも表面シートの直上に位置することを意味するものではない。
上記第１立体ガード７ａの高さＴ1 が１０mm未満であると、速度が速い便や尿が、第１立体ガード７ａが１次障壁として機能せずに、第１立体を簡単にこえてしまう。また、５０mmを超えると、使い捨ておむつが体に密着している場合、第１立体ギャザー７ａが吸収体の上面を覆ってしまい、吸収体へ排泄された体液が移行しない。
また、上記第２立体ガード７ｂの高さＴ2 が上記第１立体ガード７ａの高さ以下であると、第１立体ガード７ａを超えた便や尿が、該第２立体ガードが第２障壁としての機能をはたすことができずに、モレてしまう。
【００１０】
以下、更に詳述する。
上記第２立体ガード７ｂの高さＴ2 は、２５〜７５mmとするのが好ましく、３０〜４０mmとするのが更に好ましい。
また、上記第２立体ガード７ｂは、上記第１立体ガード７ａよりも５〜２５mm高いのが好ましい。
【００１１】
図２に示すように、左右の上記第１立体ガード７ａと上記第２立体ガード７ｂとは、それぞれ、１枚の不織布７１から形成されている。
即ち、上記第１立体ガード７ａ及び上記第２立体ガード７ｂは、それぞれ、おむつのレッグ部６側の側縁から吸収体４の側縁を覆うように配された不織布７１を、おむつの上方（表面シートの表面側）に折り返して第１立体ガードの折り返し点７４ａを形成し、更にこの第１立体ガードの折り返し点７４ａから所定の長さの部位で下方（吸収体側）に折り返して第２立体ガードの折り返し点７４ｂを形成することにより構成されている。
そして、上記第１立体ガード７ａと上記第２立体ガード７ｂとの間における上記吸収体４上に位置する２枚の重なり合った不織布７１を、表面シートに固着させて、上記接合部７０が形成されている。
また、上記不織布７１は、吸収体４の側面及び使い捨ておむつのレッグ部６の側縁を覆うように配され、裏面シート３に固着されている。これにより、レッグ部６の弾性部材６１，６１は、裏面シート３と該不織布７１により挟持・固定されている。また、背側部Ｂ及び腹側部Ａにおいては、上記不織布７１は、折り込まれた形態で全体が表面シート２に固定されており、上記第１及び第２立体ガード７ａ、７ｂは、いずれも形成されていない。即ち、上記第１及び第２立体ガード７ａ、７ｂは、少なくとも股下部Ｃに形成されていれば使い捨ておむつの全体に亘って形成されていなくても良い。
【００１２】
また、第１立体ガードの折り返し点７４ａ及び第２立体ガードの折り返し点７４ｂ（即ち、第１立体ガード及び第２立体ガードの自由縁）には、それぞれ弾性部材７２，７３が配されており、第１立体ガード及び第２立体ガードがそれぞれ起立し、且つそれぞれ立体ギャザーとなされている。
【００１３】
上記接合部７０は、図２及び３に示すように、上記不織布７１を上記表面シート２にヒートシールして固着されて形成されており、液体透過性となされている。
具体的には、本形態においては、上記接合部７０は、液透過用の孔部７０ａを多数有しており、これにより液体透過性となされている。
上記孔部７０ａの形状は、楕円形であり、その大きさは、１〜５mm2 であり、開孔率は接合部７０の全面積中５〜５０％であることが好ましい。
このように、液透過性とすることにより、第１立体ガード７ａを超えて漏れ出た体液を該孔部７０ａを通して吸収体４に導いて、吸収させることができる。
【００１４】
尚、上記の液透過性とするには、このほかに例えば、接合部７０を、公知の親水化剤で処理するなどして親水処理することにより液透過性とすることができる。
【００１５】
また、上記接合部７０は、直線状であり、その上記所定幅は２〜２０mmとするのが好ましい。
【００１６】
また、上記第１立体ガード７ａと上記第２立体ガード７ｂとは、何れも撥水性である。
即ち、上記第１立体ガード７ａと上記第２立体ガード７ｂとを形成する上記不織布７１は、撥水性の不織布である。
このような撥水性の不織布としては、通常使い捨ておむつなどの吸収性物品に用いられる撥水性のものであればとくに制限無く用いることができるが、具体的には、下記形成材料を用い、下記形成方法に準じて形成される不織布などを用いることができる。
形成材料；ポリエチレン、ポリプロピレン、ポリエチレンテレフタレート、ポリアミド等熱可塑性樹脂の単独樹脂から成形されるフィラメント；コア／シェル、サイドバイサイド構造等を有する複合フィラメント等の撥水性で不織布化が可能な材料等。
形成方法；スパンボンド方式、バインダー方式、ウォーターニードリング方式、ニードルパンチ方式等。具体的には、通常の溶融紡糸により、フィラメントを必要に応じて延伸し、クリンピング処理し、切断した短繊維を熱、接着剤等で点接着するか、又は水流、針等で交絡させる方式、即ち、湿式法、乾式法、スパーンレース法又はスパンボンド法等。
また、上記不織布としては、多層フィラメントを成形した後、該多層フィラメントを外力によって分割した分割フィラメントからなる不織布を用いることもできる。更に、メルトブローン成形法により直接成形される不織布を用いることもできる。
【００１７】
上述した不織布の中でも、高弾性樹脂をコアにし、低弾性及び／又は低融点樹脂をシェルに用いたコア／シェル型の複合フィラメントを用いてなる不織布が風合い及び弾力性が良好で、上記表面シートとの熱融着が良好であるため、生産性、安全性及びコストから好ましい。この際用いられる上記複合フィラメントとしては、コア／シェルが、ポリエチレンテレフタレート（ＰＥＴ）／ポリエチレン（ＰＥ）、ポリプロピレン（ＰＰ）／ポリエチレン（ＰＥ）、ポリプロピレン（ＰＰ）／ポリプロピレン（ＰＰ）である、ポリオレフィン系フィラメントが挙げられる。
【００１８】
また、上記不織布に用いられる上記フィラメントは、得られる不織布の柔軟性及び風合いから、その太さが細い程好ましく、特に好ましい太さは３デニール以下であり、下限は特に制限されないが０．１デニール位までである。これ未満であると製造が困難である。また、上記不織布４ｂの坪量は、５〜２００ｇ／ｍ2 が好ましく、１０〜５０ｇ／ｍ2 が特に好ましく、また、見かけ厚さ（測定サンプルを２ｃｍ×２ｃｍの２枚の平板間に挟持させ、該平板に１ｇｆ／ｃｍ2 かけた時の厚さである。尚、測定は、カトーテック（株）製、「ＫＡＷＡＢＡＴＡ  ＥＶＡＬＵＡＴＩＯＮ  ＳＹＳＴＥＭ  ＫＳ」を用いて行った。）は、１５〜７００μｍが好ましく、特に好ましくは３０〜４００μｍである。
【００１９】
本形態の使い捨ておむつは、通常の展開型の使い捨ておむつと同様に使用することができる。
そして、本形態の使い捨ておむつは、上述の如く、第１立体ガード７ａ及び第２立体ガード７ｂが形成されているので、第１立体ガードを７ａ超えても、第２立体ガード７ｂで漏れた液をせき止めることができるので漏れ防止性に優れる。また、接合部７０が、液透過性である場合には、更に、接合部７０で第１立体ガード７ａを漏れだした液を再度吸収体４に導き吸収させることができるので、より漏れ防止性が向上される。
また、上述の如く１枚の不織布７１を織り込んで形成した場合には、２回の折り工程で第１立体ガード７ａ及び第２立体ガード７ｂを形成することができ、生産性の点でも有利となる。
【００２０】
本形態の使い捨ておむつは、常法に従って表面シート２と裏面シート３とを吸収４を介在させて張り合わせて、第１及び第２立体ガード７ａ，７ｂ以外の部材を固定させた後、弾性部材７２，７３を介在させて上述の如く不織布７１を折り込んだ後、所定箇所をヒートシールすると共にエンボス加工により孔部７０ａを形成し、上記接合部７０を形成して、上記第１立体ガード７ａ及び第２立体ガード７ｂが配されてなる使い捨ておむつを製造することができる。
【００２１】
尚、本発明の使い捨ておむつは、上述の形態に制限されるものではなく、本発明の趣旨を逸脱しない範囲で種々変更可能である。
例えば、上記第１立体ガード７ａと第２立体ガード７ｂとは、それぞれ別の部材を用いて形成することができる。
また、折り込み形状も上述の形態に制限されず、種々の折り方を採用することができる。
また、上記第１及び第２立体ガードは、いずれも、使い捨ておむつの長手方向全体に亘って形成することができる。
また、上記接合部７０の形状は、湾曲した形状とすることもできる。
【００２２】
【発明の効果】
本発明の使い捨ておむつは、従来の使い捨ておむつよりも更に漏れ防止性が向上されたものである。
【図面の簡単な説明】
【図１】図１は、本発明の使い捨ておむつの１形態を示す斜視図である。
【図２】図２は、図１に示す使い捨ておむつのII-II 断面図である。
【図３】図３は、図１に示す使い捨ておむつのIII 部拡大図である。
【符号の説明】
１    使い捨ておむつ
２    表面シール
３    裏面シール
４    吸収体
５    ウエスト部
５１    弾性部材
６    レッグ部
６１    弾性部材
７ａ    第１立体ガード
７ｂ    第２立体ガード
７０    接合部
７０ａ  孔部
７２    弾性部材
７３    弾性部材
Ａ    腹側部
Ｂ    背側部
Ｃ    股下部
【図１】
0004070282.tif 000002
【図２】
0004070282.tif 000003
【図３】
0004070282.tif 000004